(57)【要約】【課題】  マイコンのＡＤポートを増加させることなくＡＤポートで判別できる数を越える数の種別を判別すること。【解決手段】  ＡＶアンプにオプション機器が接続されると、マイコンのＡＤポートに入力される入力電圧がオプション機器の種別に応じて変化する。ＡＶアンプは、入力電圧の電圧値に対応付けて、オプション機器の種別を管理している。入力電圧の電圧値が所定電圧値でない場合には、電圧値に対応付けて管理されている種別を接続されたオプション機器の種別と判別する。電圧値が所定電圧値である場合には、オプション機器から種別に関する情報を取得することにより、接続されたオプション機器の種別を判別する。電圧値が所定電圧値となる種別を複数設けることによって、ＡＤポートを増加させることなくＡＤポートで判別できる数を越える数の機器種別を判別することができる。【選択図】図３
2010211782.tif 000002
【特許請求の範囲】
【請求項１】
第１の電子機器に接続されている複数種別の第２の電子機器の種別を判別する機器種別判別装置であって、
接続される前記第２の電子機器の種別に応じて、入力電圧の電圧値が変化する入力端子を有する制御手段と、
前記入力電圧の電圧値に対応付けて前記第２の電子機器の種別を管理し、かつ、少なくとも１つの所定電圧値に対応付けて前記第２の電子機器から所定の通信手段によって前記第２の電子機器の種別を取得する旨を管理する種別管理手段とを備え、
前記制御手段が、前記入力電圧の電圧値と前記種別管理手段の管理内容とに基づいて、前記入力電圧の電圧値が前記所定電圧値以外である場合、前記種別管理手段に前記入力電圧の電圧値に対応付けて管理されている種別を前記第２の電子機器の種別と判別し、かつ、前記入力電圧の電圧値が前記所定電圧値である場合、前記第２の電子機器から所定の通信手段によって前記第２の電子機器の種別を取得する、機器種別判別装置。
【請求項２】
第１の電子機器に接続されている複数種別の第２の電子機器の種別を判別する機器種別判別プログラムであって、
接続される前記第２の電子機器の種別に応じて入力電圧の電圧値が変化する入力端子を有する制御手段において、前記入力電圧の電圧値が所定電圧値であるか否かを判断するステップと、
前記入力電圧の電圧値が前記所定電圧値以外である場合、種別管理手段に前記入力電圧の電圧値に対応付けて管理されている種別を前記第２の電子機器の種別と判別するステップと、
前記入力電圧の電圧値が前記所定電圧値である場合、前記第２の電子機器から所定の通信手段によって前記第２の電子機器の種別を取得するステップとをコンピュータに実行させる、機器種別判別プログラム。
【請求項３】
第１の電子機器と、前記第１の電子機器に接続される複数種別の第２の電子機器とを備え、
前記第１の電子機器が、接続される前記第２の電子機器の種別に応じて、入力電圧の電圧値が変化する入力端子を有する制御手段と、
前記入力電圧の電圧値に対応付けて前記第２の電子機器の種別を管理し、かつ、少なくとも１つの所定電圧値に対応付けて前記第２の電子機器から所定の通信手段によって前記第２の電子機器の種別を取得する旨を管理する種別管理手段とを備え、
前記制御手段が、前記入力電圧の電圧値と前記種別管理手段の管理内容とに基づいて、前記入力電圧の電圧値が前記所定電圧値以外である場合、前記種別管理手段に前記入力電圧の電圧値に対応付けて管理されている種別を前記第２の電子機器の種別と判別し、かつ、前記入力電圧の電圧値が前記所定電圧値である場合、前記第２の電子機器から所定の通信手段によって前記第２の電子機器の種別を取得し、
前記第２の電子機器が、前記入力電圧の電圧値が前記所定電圧値である場合、前記制御手段に、前記第２の電子機器の種別を送信する種別送信手段を備える、機器種別判別システム。
【請求項４】
前記入力電圧の電圧値が前記所定電圧値となる前記第２の電子機器の種別が複数存在する、請求項３に記載の機器種別判別システム。
【請求項５】
請求項３または４に記載の機器種別判別システムに適用される前記第２の電子機器であって、前記制御手段に、前記入力電圧の電圧値が前記所定電圧値である場合、前記第２の電子機器の種別を送信する種別送信手段を備える、第２の電子機器。
【請求項６】
第１の電子機器に接続されている複数種別の第２の電子機器の種別を判別する機器種別判別装置であって、
接続される前記第２の電子機器の種別に応じて、入力電圧の電圧値が変化する入力端子を有する制御手段と、
第１所定電圧値に対応付けて前記第２の電子機器から第１の所定の通信手段によって前記第２の電子機器の種別を取得する旨、及び、第２所定電圧値に対応付けて前記第２の電子機器から第２の所定の通信手段によって前記第２の電子機器の種別を取得する旨を管理する種別管理手段とを備え、
前記制御手段が、前記入力電圧の電圧値と前記種別管理手段の管理内容とに基づいて、前記入力電圧の電圧値が前記第１所定電圧値である場合、前記第２の電子機器から前記第１の所定の通信手段によって前記第２の電子機器の種別を取得し、前記入力電圧の電圧値が前記第２所定電圧値である場合、前記第２の電子機器から前記第２の所定の通信手段によって前記第２の電子機器の種別を取得する、機器種別判別装置。
【発明の詳細な説明】
【技術分野】
【０００１】
本発明は、第１の電子機器に接続されている第２の電子機器の種別を判別する機器種別判別装置に関する。
【背景技術】
【０００２】
ＡＶアンプ（第１の電子機器）には、ソース機器であるＢＤプレーヤ、及び、シンク機器であるディスプレイ装置が接続される。ＡＶアンプは、ＢＤプレーヤから受信した音声信号を増幅してスピーカーから音声を再生し、ＢＤプレーヤから受信した映像信号をディスプレイ装置に送信する。ＡＶアンプは、コネクタを有しており、コネクタには複数種別のオプション機器（第２の電子機器）を接続することができる。オプション機器は、例えば、携帯型オーディオプレーヤ（ＤＡＰ）用の充電装置（クレードル）、及び、デジタルラジオチューナ（ＨＤラジオチューナ、ＤＡＢチューナ）等である。ＡＶアンプは、コネクタに接続されたオプション機器の種別を判別することにより、接続されたオプション機器に対応する処理を実行する。
【０００３】
接続されるオプション機器の種別を判別する方法として、以下の方法が提案されている（下記特許文献１）。ＡＶアンプに設けられた抵抗素子の抵抗値と、オプション機器に設けられた抵抗素子の抵抗値とによって所定電圧を分圧し、分圧した電圧がマイコンのＡＤポートに入力される。マイコンは、ＡＤポートに入力された電圧をＡＤ変換して、そのＡＤ値に基づいて接続されたオプション機器の種別を判別する。この方法では、ＡＤポートの分解能が例えば８段階である場合には、１つのＡＤポートによって８つのオプション機器の種別しか判別することができない。従って、９種別以上のオプション機器をＡＶアンプが判別可能にするためには、マイコンにＡＤポートを２つ以上設ける必要があり、コストが増大する。
【先行技術文献】
【特許文献】
【０００４】
【特許文献１】特開２００８−９７２９８号公報
【発明の概要】
【発明が解決しようとする課題】
【０００５】
本発明は上記従来の課題を解決するためになされたものであり、その目的は、マイコンのＡＤポートを増加させることなく、ＡＤポートの分解能を越える数の機器種別を判別することができる機器種別判別装置を提供することである。
【課題を解決するための手段】
【０００６】
本発明の好ましい実施形態による機器種別判別装置は、第１の電子機器に接続されている複数種別の第２の電子機器の種別を判別する機器種別判別装置であって、接続される前記第２の電子機器の種別に応じて、入力電圧の電圧値が変化する入力端子を有する制御手段と、前記入力電圧の電圧値に対応付けて前記第２の電子機器の種別を管理し、かつ、少なくとも１つの所定電圧値に対応付けて前記第２の電子機器から所定の通信手段によって前記第２の電子機器の種別を取得する旨を管理する種別管理手段とを備え、前記制御手段が、前記入力電圧の電圧値と前記種別管理手段の管理内容とに基づいて、前記入力電圧の電圧値が前記所定電圧値以外である場合、前記種別管理手段に前記入力電圧の電圧値に対応付けて管理されている種別を前記第２の電子機器の種別と判別し、かつ、前記入力電圧の電圧値が前記所定電圧値である場合、前記第２の電子機器から所定の通信手段によって前記第２の電子機器の種別を取得する。
【０００７】
第１の電子機器に第２の電子機器が接続されると、制御手段の入力端子に入力される入力電圧が第２の電子機器の種別に応じて変化する。種別管理手段は、入力電圧の電圧値に対応付けて、第２の電子機器の種別を管理している。入力電圧の電圧値が所定電圧値でない場合には、制御手段は、種別管理手段に当該電圧値に対応付けて管理されている種別を接続された第２の電子機器の種別と判別する。一方、入力電圧の電圧値が所定電圧値である場合には、制御手段は、接続された第２の電子機器から当該第２の電子機器の種別に関する情報を取得することにより、接続された第２の電子機器の種別を判別する。従って、入力電圧の電圧値が所定電圧値となる第２の電子機器の種別を複数設けることによって、制御手段の入力端子の数を増加させることなく、制御手段の入力端子が判別できる電圧値の数を越える数の機器種別を判別することができる。
【０００８】
本発明の好ましい実施形態による機器種別判別システムは、第１の電子機器と、前記第１の電子機器に接続される複数種別の第２の電子機器とを備え、前記第１の電子機器が、接続される前記第２の電子機器の種別に応じて、入力電圧の電圧値が変化する入力端子を有する制御手段と、前記入力電圧の電圧値に対応付けて前記第２の電子機器の種別を管理し、かつ、少なくとも１つの所定電圧値に対応付けて前記第２の電子機器から所定の通信手段によって前記第２の電子機器の種別を取得する旨を管理する種別管理手段とを備え、前記制御手段が、前記入力電圧の電圧値と前記種別管理手段の管理内容とに基づいて、前記入力電圧の電圧値が前記所定電圧値以外である場合、前記種別管理手段に前記入力電圧の電圧値に対応付けて管理されている種別を前記第２の電子機器の種別と判別し、かつ、前記入力電圧の電圧値が前記所定電圧値である場合、前記第２の電子機器から所定の通信手段によって前記第２の電子機器の種別を取得し、前記第２の電子機器が、前記入力電圧の電圧値が前記所定電圧値である場合、前記制御手段に、前記第２の電子機器の種別を送信する種別送信手段を備える。
【０００９】
好ましい実施形態においては、前記入力電圧の電圧値が前記所定電圧値となる前記第２の電子機器の種別が複数存在する。
【００１０】
本発明の別の好ましい実施形態による機器種別判別装置は、第１の電子機器に接続されている複数種別の第２の電子機器の種別を判別する機器種別判別装置であって、接続される前記第２の電子機器の種別に応じて、入力電圧の電圧値が変化する入力端子を有する制御手段と、第１所定電圧値に対応付けて前記第２の電子機器から第１の所定の通信手段によって前記第２の電子機器の種別を取得する旨、及び、第２所定電圧値に対応付けて前記第２の電子機器から第２の所定の通信手段によって前記第２の電子機器の種別を取得する旨を管理する種別管理手段とを備え、前記制御手段が、前記入力電圧の電圧値と前記種別管理手段の管理内容とに基づいて、前記入力電圧の電圧値が前記第１所定電圧値である場合、前記第２の電子機器から前記第１の所定の通信手段によって前記第２の電子機器の種別を取得し、前記入力電圧の電圧値が前記第２所定電圧値である場合、前記第２の電子機器から前記第２の所定の通信手段によって前記第２の電子機器の種別を取得する。
【発明の効果】
【００１１】
制御手段の入力端子の数を増加させることなく、制御手段の入力端子が判別できる電圧値の数を越える数の機器種別を判別することができる。
【図面の簡単な説明】
【００１２】
【図１Ａ】ＡＶアンプ１及びオプション機器１００Ａを示す図である。
【図１Ｂ】ＡＶアンプ１及びオプション機器１００Ｂを示す図である。
【図１Ｃ】ＡＶアンプ１及びオプション機器１００Ｃを示す図である。
【図２】機器種別テーブルを示す図である。
【図３】マイコン２の処理を示すフローチャートである。
【図４】機器種別テーブルを示す図である。
【図５】機器種別テーブルを示す図である。
【図６】マイコン２の処理を示すフローチャートである。
【発明を実施するための形態】
【００１３】
以下、本発明の好ましい実施形態による機器種別判別装置が適用されたＡＶアンプ１を説明するが、本発明はこれらの実施形態には限定されない。図１Ａ〜図１Ｃは、ＡＶアンプ（第１の電子機器）１と、複数種別のオプション機器（第２の電子機器）１００Ａ〜１００Ｃとを示すブロック図である。
【００１４】
各図１において、ＡＶアンプ１は、マイコン（制御手段）２と、コネクタ３と、アンプ４と、抵抗素子Ｒ１とを備える。コネクタ３は、複数種別のオプション機器１００Ａ〜１００Ｃのコネクタと接続可能である。アンプ４は、オプション機器１００Ａ〜１００Ｃからコネクタを介して入力される音声信号を増幅して、外部に接続されたスピーカー３００から音声を再生する。
【００１５】
図１Ａは、ＡＶアンプ１がオプション機器１００Ａと接続された状態を示す。図１Ｂは、ＡＶアンプ１がオプション機器１００Ｂと接続された状態を示す。図１Ｃは、ＡＶアンプ１がオプション機器１００Ｃと接続された状態を示す。オプション機器１００Ａは、マイコン１０２Ａと、コネクタ１０３Ａと、抵抗素子Ｒ２とを備える。オプション機器１００Ｂは、マイコン１０２Ｂと、コネクタ１０３Ｂと、抵抗素子Ｒ３とを備える。オプション機器１００Ｃは、マイコン１０２Ｃと、コネクタ１０３Ｃと、抵抗素子Ｒ３とを備える。オプション機器１００Ａは、例えば、携帯型オーディオプレーヤ（ＤＡＰ）用の充電器（クレードル）であり、オプション機器１００Ｂは、ＨＤラジオチューナであり、オプション機器１００Ｃは、ＤＡＢチューナである。なお、各オプション機器１００Ａ〜１００Ｃにおける本発明とは関係のない構成（チューナ回路等）について割愛する。コネクタ１０３Ａ〜１０３Ｃは、いずれも、ＡＶアンプ１のコネクタ３に接続可能である。
【００１６】
本例では、ＡＶアンプ１は、後述するＡＤポート２ａにおいて判別可能な電圧値の数を超える数の種別の第２の電子機器を判別可能である。例えば、図示しないが、ＡＶアンプ１は、オプション機器１００Ａ〜１００Ｃの他に、オプション機器１００Ｄ，１００Ｅ，１００Ｆ，１００Ｇ，１００Ｈ，１００Ｉの６種別のオプション機器を判別可能である。すなわち、マイコン２は、ＡＤポート２ａの分解能が８段階であるにもかかわらず、９種別のオプション機器１００Ａ〜１００Ｉを判別可能である。オプション機器１００Ａ，１００Ｄ〜１００Ｉはそれぞれ異なる抵抗値の抵抗素子を有しており、これらがＡＶアンプ１に接続されたとき、ＡＤポート２ａにはそれぞれ異なる電圧値（所定電圧値以外）の電圧が入力される。オプション機器１００Ｂと１００Ｃとは同じ抵抗値の抵抗素子を有しており、これらがＡＶアンプ１に接続されたとき、ＡＤポート２ａには同じ電圧値（所定電圧値）の電圧が入力される。
【００１７】
ＡＶアンプ１のマイコン２は、ＡＤポート２ａを有し、オプション機器が接続されることによってＡＤポートに入力される入力電圧をＡＤ（アナログ−デジタル）変換し、そのＡＤ値に基づいて、コネクタ３に接続されたオプション機器の種別を判別する。ＡＤポート２ａは、特に限定されないが、８段階の分解能を有しおり、８つのＡＤ値を判別することができる。
【００１８】
マイコン２は、内蔵又は接続されたメモリに図２に示す機器種別テーブルを格納している。機器種別テーブルは、ＡＤポート２ａに入力される入力電圧のＡＤ値（電圧値）に対応付けて、オプション機器の種別を管理するテーブルである。図２では、ＡＤ値２〜ＡＤ値８に対してオプション機器１００Ａ、１００Ｄ〜１００Ｉの７つの種別が管理されている。ＡＤ値１（所定電圧値）は、マイコン２がオプション機器と所定の通信手段（本例では、ＵＡＲＴ（Universal Asynchronous Receiver Transmitter）通信）によって、オプション機器から種別の情報を取得して、種別を判別することを表している。
【００１９】
ＡＤポート２ａは、抵抗素子Ｒ１を介して所定電圧Ｖａが供給され、かつ、コネクタ３に接続されている。図１Ａに示すように、オプション機器１００Ａが接続されている状態では、ＡＤポート２ａは、抵抗素子Ｒ１を介して所定電圧Ｖａに接続され、かつ、コネクタ３、オプション機器１００Ａのコネクタ１０３Ａ及び抵抗素子Ｒ２を介して接地電位に接続された状態になる。従って、ＡＤポート２ａには、抵抗素子Ｒ１及びＲ２によって所定電圧Ｖａを分圧した電圧値（Ｖａ×Ｒ２／（Ｒ１＋Ｒ２））の電圧がＡＤ値２として入力される。マイコン２は、機器種別テーブルを参照することにより、ＡＤ値２に対応付けて管理されている種別（オプション機器１００Ａ）が接続されたオプション機器の種別であると判別する。
【００２０】
図１Ｂに示すように、オプション機器１００Ｂが接続されている状態では、ＡＤポート２ａは、抵抗素子Ｒ１を介して所定電圧Ｖａに接続され、かつ、コネクタ３、オプション機器１００Ｂのコネクタ１０３Ｂ及び抵抗素子Ｒ３を介して接地電位に接続された状態になる。従って、ＡＤポート２ａには、抵抗素子Ｒ１及びＲ３によって所定電圧Ｖａを分圧した電圧値（Ｖａ×Ｒ３／（Ｒ１＋Ｒ３））の電圧がＡＤ値１として入力される。マイコン２は、機器種別テーブルを参照することにより、ＡＤ値１に対応するオプション機器の種別は、オプション機器とのＵＡＲＴ通信によってオプション機器から取得することを判別する。
【００２１】
図１Ｃに示すように、オプション機器１００Ｃが接続されている状態では、ＡＤポート２ａは、抵抗素子Ｒ１を介して所定電圧Ｖａに接続され、かつ、コネクタ３、オプション機器１００Ｃのコネクタ１０３Ｃ及び抵抗素子Ｒ３を介して接地電位に接続される。従って、ＡＤポート２ａには、抵抗素子Ｒ１及びＲ３によって所定電圧Ｖａを分圧した電圧値（Ｖａ×Ｒ３／（Ｒ１＋Ｒ３））の電圧がＡＤ値１として入力される。マイコン１は、機器種別テーブルを参照することにより、ＡＤ値１に対応するオプション機器の種別は、オプション機器とのＵＡＲＴ通信によってオプション機器から取得することを判別する。
【００２２】
オプション機器１００Ｂ及び１００Ｃが有する抵抗素子の抵抗値は共にＲ３になっており、ＡＶアンプ１にオプション機器１００Ｂ又は１００Ｃが接続された場合には、ＡＤポート２ａにＡＤ値１の電圧が入力されるので、マイコン２は、ＵＡＲＴ通信によってオプション機器から種別を取得し、種別を判別する。また、図示しないが、ＡＶアンプ１にオプション機器１００Ｄ〜１００Ｉが接続された場合には、ＡＤポート２ａに入力される電圧のＡＤ値がＡＤ値３〜ＡＤ値８になるので、機器種別テーブルを参照して、種別がオプション機器１００Ｄ〜１００Ｉであることが判別される。
【００２３】
マイコン２は、２本のＵＡＲＴライン（送信側および受信側）を介してコネクタ３に接続されている。同様に、オプション機器１００Ａ〜１００Ｃのマイコン１０２Ａ〜１０２Ｃは、２本のＵＡＲＴライン（送信側および受信側）を介してコネクタ１０３Ａ〜１０３Ｃにそれぞれ接続されている。従って、ＡＶアンプ１にオプション機器１００Ａ〜１００Ｃが接続されたとき、２本のＵＡＲＴラインを介して、ＡＶアンプ１のマイコン２がオプション機器１００Ａ〜１００Ｃのマイコン１０２Ａ〜１０２Ｃに接続される。
【００２４】
図３は、ＡＶアンプ１のマイコン２の機器種別判別処理を示すフローチャートである。マイコン２は、オプション機器１００がＡＶアンプ１に接続されたか否かを監視している（Ｓ１）。例えば、オプション機器の接続有無は、マイコン２に接続検出ポートを設け、オプション機器１００が接続された際に、オプション機器１００からの信号が接続検出ポートに入力されることによって判断されるとよい。
【００２５】
オプション機器１００が接続されたとき（Ｓ１でＹＥＳ）、マイコン２は、ＡＤポート２ａに入力される電圧をＡＤ変換し、ＡＤ値を取得する（Ｓ２）。マイコン２は、機器種別テーブルを参照して、取得したＡＤ値に対応する機器種別を特定する（Ｓ３）。例えば、ＡＤ値２である場合には、接続されたオプション機器の種別がオプション機器１００Ａであることが特定され、ＡＤ値３である場合には、接続されたオプション機器の種別がオプション機器１００Ｄであることが特定される。
【００２６】
マイコン２は、オプション機器とのＵＡＲＴ通信によって、オプション機器の種別を判別する必要があるか否かを判断する（Ｓ４）。すなわち、Ｓ２で取得したＡＤ値がＡＤ値１であるか否かを判断する。ＡＤ値がＡＤ値１でない場合（Ｓ４でＮＯ）、機器種別テーブルの管理内容のみによって種別を判別できているので、Ｓ６に進み、判別した種別に応じた処理を実行した上で、オプション機器１００とＵＡＲＴによる通信を開始する（Ｓ６）。
【００２７】
ＡＤ値がＡＤ値１である場合（Ｓ４でＹＥＳ）、マイコン２は、オプション機器１００Ｂ又は１００Ｃのマイコン１０２Ｂ又は１０２Ｃに、ＵＡＲＴラインを介して機器種別要求コマンドを送信する（Ｓ５）。この要求に応答して、オプション機器１００Ｂ又は１００Ｃのマイコン１０２Ｂ又は１０２Ｃは、マイコンに内蔵又は接続されているメモリに予め登録されている自身の機器種別の情報を、ＵＡＲＴラインを介して、マイコン２に送信する。特に限定されないが、例えば、ＵＡＲＴ通信によって送信される８ビットのデータのうち、ある１ビットにオプション機器１０２Ｂであるか否かの情報（１０２Ｂである場合１、そうでない場合０）、他の１ビットにオプション機器１０２Ｃであるか否かの情報（１０２Ｃである場合１、そうでない場合０）を含めるとよい。
【００２８】
マイコン２は、オプション機器１００Ｂ又は１００Ｃのマイコンから機器種別の情報を受信することによって、接続されたオプション機器の種別を特定する（Ｓ５）。その後、マイコン２は、判別した機器種別に応じた処理を実行した上で、オプション機器１００とＵＡＲＴによる通信を開始する（Ｓ６）。
【００２９】
以上のように、本実施形態によると、ＡＤポート２ａに入力される電圧のＡＤ値に基づいて機器種別を判別すると共に、ＡＤ値が所定電圧値（ＡＤ値１）である場合には、ＵＡＲＴ通信によってオプション機器から機器種別の情報を取得しているので、ＡＤポート２ａによって判別できる電圧値の数よりも多い数の機器種別を判別することができる。例えば、上記実施例においては、ＵＡＲＴ通信によって送受信される８ビットのデータの１ビット毎に、種別の情報を含める場合には、ＡＤ値によって７種別、ＵＡＲＴによって８種別、合計１５の種別を判別できるようになる。
【００３０】
なお、機器種別テーブルを参照してＡＤ値から種別を判別する方が、ＵＡＲＴ通信によって種別の情報を取得するよりも種別を判別し終えるまでの時間を短縮できる。従って、特に限定されないが、一般的にユーザによってよく利用されると考えられるオプション機器の種別をＡＤ値によって判別可能に設定しておき、あまり利用されないと考えられるオプション機器の種別をＵＡＲＴ通信によって種別を取得するように設定しておくとよい。
【００３１】
また、オプション機器からの機器種別の情報の取得に、ＵＡＲＴ通信だけでなく、Ｉ２Ｃ通信等の他の通式方式を利用することもできる。例えば、図４に示すように、ＡＤ値が他の所定電圧値（ＡＤ値８）である場合に、Ｉ２Ｃ通信によって機器種別の情報をオプション機器から取得するようにしてもよい。
【００３２】
また、図５に示すように、機器種別テーブルにはＡＤ値に対応付けてオプション機器の種別が登録されておらず、ＡＤ値に対応付けて所定の通信手段によってオプション機器から種別の情報を取得して、種別を判別することのみが管理されていてもよい。詳細には、ＡＤ値１の場合には、ＵＡＲＴ通信によってオプション機器から種別の情報を取得して種別を判別することが管理され、ＡＤ値２の場合には、Ｉ２Ｃ通信によってオプション機器から種別の情報を取得して種別を判別することが管理されている。
【００３３】
図６は、図５の機器種別テーブルを使用する場合のマイコン２の処理を示すフローチャートである。マイコン２は、オプション機器が接続されたとき（Ｓ１１でＹＥＳ）、ＡＤポート２ａに入力される電圧をＡＤ変換し、ＡＤ値を取得する（Ｓ１２）。マイコン２は、図５の機器種別テーブルを参照し、取得したＡＤ値に対応する所定の通信方式を特定する。ＡＤ値がＡＤ値１である場合、マイコン２は、ＵＡＲＴ通信によってオプション機器から種別の情報を取得して種別を判別する必要があると判断する（Ｓ１３でＹＥＳ）。従って、マイコン２は、ＵＡＲＴ通信によってオプション機器から種別の情報を取得して種別を判別する（Ｓ１４）。一方、ＡＤ値がＡＤ値２である場合、マイコン２は、Ｉ２Ｃ通信によってオプション機器から種別の情報を取得して種別を判別する必要があると判断する（Ｓ１３でＮＯ）。従って、マイコン２は、Ｉ２Ｃ通信によってオプション機器から種別の情報を取得して種別を判別する（Ｓ１５）。
【００３４】
以上、本発明の好ましい実施形態を説明したが、本発明はこれらの実施形態には限定されない。機器種別テーブルに登録されるＡＤ値に一定範囲の誤差を許容することにより、入力電圧に若干の誤差が有る場合にも、正式な種別を判別することができる。機器種別判別装置の上記動作をコンピュータに実行させるためのプログラムおよびこれを記録した記録媒体という形態で提供されてもよい。
【産業上の利用可能性】
【００３５】
本発明は、ＡＶアンプ等に好適に採用され得る。
【符号の説明】
【００３６】
１                        ＡＶアンプ
２                        マイコン
３                        コネクタ
１００Ａ〜１００Ｃ        オプション機器
１０２Ａ〜１０２Ｃ        マイコン
１０３Ａ〜１０３Ｃ        コネクタ
【図１Ａ】
2010211782.tif 000003
【図１Ｂ】
2010211782.tif 000004
【図１Ｃ】
2010211782.tif 000005
【図２】
2010211782.tif 000006
【図３】
2010211782.tif 000007
【図４】
2010211782.tif 000008
【図５】
2010211782.tif 000009
【図６】
2010211782.tif 000010